(57)【特許請求の範囲】
【請求項１】
メッセージの送信先である送信先通信端末を一意に特定するための送信先端末識別情報、および通信制御用のソフトウェアを、メッセージの送信元である送信元通信端末から受信する受信手段と、
前記受信手段により受信された前記ソフトウェアのインストールを実行するインストール実行手段と、
前記受信手段により受信された前記送信先端末識別情報を、外部にあるアドレス情報管理装置に送信し、当該送信した送信先端末識別情報に対応する前記送信先通信端末が接続可能な他の通信制御装置のアドレス情報を、前記アドレス情報管理装置から取得するアドレス情報取得手段と、
前記アドレス情報取得手段により取得された前記アドレス情報に含まれるアドレス宛に、前記受信手段により受信された前記送信先端末識別情報、および前記受信手段により受信された前記ソフトウェアを一意に特定するためのソフトウェア識別情報を送信する送信手段と、
を備え、
前記アドレスで特定される前記他の通信制御装置が、前記送信手段により送信された送信先端末識別情報およびソフトウェア識別情報を受信し、当該送信先端末識別情報で識別される前記送信先通信端末に該ソフトウェア識別情報を送信し、当該送信に応じて当該送信先通信端末から送られてきた、当該ソフトウェア識別情報に対応する前記ソフトウェアを受信し、当該ソフトウェアを当該他の通信制御装置内にインストールする、
ことを特徴とする通信制御装置。
【請求項２】
自通信制御装置に接続可能な通信端末を一意に特定するための端末識別情報および自通信制御装置のアドレス情報を、前記アドレス情報管理装置に送信するアドレス情報送信手段を、さらに備えることを特徴とする請求項１記載の通信制御装置。
【請求項３】
通信制御装置が、メッセージの送信先である送信先通信端末を一意に特定するための送信先端末識別情報、および通信制御用のソフトウェアを、メッセージの送信元である送信元通信端末から受信する受信ステップと、
前記通信制御装置が、前記受信ステップにおいて受信された前記ソフトウェアのインストールを実行するインストール実行ステップと、
前記通信制御装置が、前記受信ステップにおいて受信された前記送信先端末識別情報を、外部にあるアドレス情報管理装置に送信し、当該送信した送信先端末識別情報に対応する前記送信先通信端末が接続可能な他の通信制御装置のアドレス情報を、前記アドレス情報管理装置から取得するアドレス情報取得ステップと、
前記通信制御装置が、前記アドレス情報取得ステップにおいて取得された前記アドレス情報に含まれるアドレス宛に、前記受信ステップにおいて受信された前記送信先端末識別情報、および前記受信ステップにおいて受信された前記ソフトウェアを一意に特定するためのソフトウェア識別情報を送信する送信ステップと、
を含み、
前記アドレスで特定される前記他の通信制御装置が、前記送信ステップにおいて送信された送信先端末識別情報及びソフトウェア識別情報を受信し、当該送信先端末識別情報で識別される前記送信先通信端末に当該ソフトウェア識別情報を送信し、当該送信に応じて当該送信先通信端末から送られてきた、当該ソフトウェア識別情報に対応する前記ソフトウェアを受信し、当該ソフトウェアを当該他の通信制御装置内にインストールする、
ことを特徴とする通信制御方法。
【請求項４】
メッセージの送信元である送信元通信端末と接続する送信元通信制御装置と、当該メッセージの送信先である送信先通信端末と接続する送信先通信制御装置とを備える通信システムであって、
前記送信元通信制御装置が、
前記送信先通信端末を一意に特定するための送信先端末識別情報、および通信制御用のソフトウェアを、前記送信元通信端末から受信する第１受信手段と、
前記第１受信手段により受信された前記ソフトウェアのインストールを実行する第１インストール実行手段と、
前記第１受信手段により受信された前記送信先端末識別情報を、外部にあるアドレス情報管理装置に送信し、当該送信した送信先端末識別情報に対応する前記送信先通信端末が接続可能な前記送信先通信制御装置のアドレス情報を、前記アドレス情報管理装置から取得するアドレス情報取得手段と、
前記アドレス情報取得手段により取得された前記アドレス情報に含まれるアドレス宛に、前記第１受信手段により受信された前記送信先端末識別情報、および前記第１受信手段により受信された前記ソフトウェアを一意に特定するためのソフトウェア識別情報を送信する第１送信手段と、
を備え、
前記アドレスで特定される前記送信先通信制御装置が、
前記第１送信手段により送信された送信先端末識別情報及びソフトウェア識別情報を受信する第２受信手段と、
前記第２受信手段により受信された送信先端末識別情報で識別される前記送信先通信端末に、前記第２受信手段により受信されたソフトウェア識別情報を送信する第２送信手段と、
前記第２送信手段による送信に応じて前記送信先通信端末から送られてきた、前記ソフトウェア識別情報に対応する前記ソフトウェアを受信する第３受信手段と、
前記第３受信手段により受信されたソフトウェアを前記送信先通信制御装置内にインストールする第２インストール実行手段と、
を備える、
ことを特徴とする通信システム。
【請求項５】
通信制御装置であって、
メッセージの送信先である送信先通信端末を一意に特定するための送信先端末識別情報、および通信制御用のソフトウェアを一意に特定するためのソフトウェア識別情報を、他の通信制御装置から受信する第１受信手段と、
前記第１受信手段により受信された送信先端末識別情報で識別される前記送信先通信端末に、前記第１受信手段により受信されたソフトウェア識別情報を送信する送信手段と、
前記送信手段による送信に応じて前記送信先通信端末から送られてきた、前記ソフトウェア識別情報に対応する前記ソフトウェアを受信する第２受信手段と、
前記第２受信手段により受信されたソフトウェアのインストールを実行するインストール実行手段と、
を備え、
前記他の通信制御装置が、前記送信先端末識別情報および前記ソフトウェアを前記メッセージの送信元である送信元端末から受信し、当該ソフトウェアを当該他の通信制御装置内にインストールし、当該送信先端末識別情報をアドレス情報管理装置に送信することで、前記送信先通信端末が接続可能な前記通信制御装置のアドレス情報を当該アドレス情報管理装置から取得し、当該アドレス情報に含まれるアドレスで指定される当該通信制御装置に前記送信先端末識別情報および前記ソフトウェア識別情報を送信する、
ことを特徴とする通信制御装置。

【発明の詳細な説明】
【技術分野】
【０００１】
本発明は、通信制御装置および通信制御方法に関する。
【背景技術】
【０００２】
従来、通信端末が、新たにネットワークに参加する場合には、必ず何れかのドメインに登録して、ＩＰアドレスを取得する必要がある。下記特許文献１には、ドメインに登録されてＩＰアドレスが割り当てられた各通信端末（画像通信装置）間で相互に通信を行う技術について開示されている。この技術では、ＳＩＰ（Session Initiation Protocol）プロキシサーバを用いて各通信端末間のセッションを制御している。
【特許文献１】特開２００４−１４７１２８号公報
【発明の開示】
【発明が解決しようとする課題】
【０００３】
ところで、一般に、ＳＩＰの仕様は各ベンダーによって異なる。したがって、異なるベンダーの通信端末を用いて、上述した従来技術による通信を行うためには、それぞれの通信端末に適用されたＳＩＰの仕様ごとに、その仕様に適合したＳＩＰプロキシサーバを備える必要がある。この場合には、各ＳＩＰプロキシサーバに対して、同一のドメイン名を付し、異なるグローバルＩＰアドレスを割り当てることになり、複雑な処理を要することになる。
【０００４】
そこで、本発明は、上述した課題を解決するために、ドメインに登録されていない種々の通信端末を、複雑な処理を要することなく、ネットワークに参加させることができる通信制御装置および通信制御方法を提供することを目的とする。
【課題を解決するための手段】
【０００５】
本発明の通信制御装置は、メッセージの送信先である送信先通信端末を一意に特定するための送信先端末識別情報、および通信制御用のソフトウェアを、メッセージの送信元である送信元通信端末から受信する受信手段と、受信手段により受信されたソフトウェアのインストールを実行するインストール実行手段と、受信手段により受信された送信先端末識別情報を、外部にあるアドレス情報管理装置に送信し、当該送信した送信先端末識別情報に対応する送信先通信端末が接続可能な他の通信制御装置のアドレス情報をアドレス情報管理装置から取得するアドレス情報取得手段と、アドレス情報取得手段により取得されたアドレス情報に含まれるアドレス宛に、受信手段により受信された送信先端末識別情報、および受信手段により受信されたソフトウェアを一意に特定するためのソフトウェア識別情報を送信する送信手段と、を備えることを特徴とする。
【０００６】
また、本発明の通信制御方法は、通信制御装置が、メッセージの送信先である送信先通信端末を一意に特定するための送信先端末識別情報、および通信制御用のソフトウェアを、メッセージの送信元である送信元通信端末から受信する受信ステップと、受信ステップにおいて受信されたソフトウェアのインストールを実行するインストール実行ステップと、受信ステップにおいて受信された送信先端末識別情報を、外部にあるアドレス情報管理装置に送信し、当該送信した送信先端末識別情報に対応する送信先通信端末が接続可能な他の通信制御装置のアドレス情報を、アドレス情報管理装置から取得するアドレス情報取得ステップと、アドレス情報取得ステップにおいて取得されたアドレス情報に含まれるアドレス宛に、受信ステップにおいて受信された送信先端末識別情報、および受信ステップにおいて受信されたソフトウェアを一意に特定するためのソフトウェア識別情報を送信する送信ステップと、を備えることを特徴とする。
【０００７】
これらの発明によれば、メッセージの送信元通信端末から受信した通信制御用のソフトウェアをインストールすることができるため、送信元通信端末の仕様に適した通信制御用のソフトウェアを用いて送信元通信端末のネットワーク接続を制御することが可能となる。また、メッセージの送信元通信端末から受信した送信先端末識別情報に対応する送信先通信端末が接続可能な他の通信制御装置のアドレス情報をアドレス情報管理装置から取得することができ、このアドレス情報に含まれるアドレス宛に、送信先端末識別情報およびソフトウェア識別情報を送信することができる。これにより、送信先通信端末が接続可能な他の通信制御装置に、ソフトウェア識別情報に対応する通信制御用のソフトウェアをインストールさせることが可能となる。このように、本願発明によれば、送信元通信端末が接続可能な一の通信制御装置と、送信先通信端末が接続可能な他の通信制御装置とに、共通の通信制御用のソフトウェアをインストールさせることが可能となる。したがって、各通信端末は、それぞれの通信端末のネットワーク接続を制御することが可能な通信制御装置を介して相互に通信することができる。それゆえに、ドメインに登録されていない種々の通信端末を、複雑な処理を要することなく、ネットワークに参加させることが可能となる。
【０００８】
本発明の通信制御装置において、自通信制御装置に接続可能な通信端末を一意に特定するための端末識別情報および自通信制御装置のアドレス情報をアドレス情報管理装置に送信するアドレス情報送信手段をさらに備えることが好ましい。
【０００９】
このようにすれば、自通信制御装置に接続可能な通信端末の端末識別情報および自通信制御装置のアドレス情報を、アドレス情報管理装置に送信することができる。これにより、アドレス情報管理装置において、自通信制御装置に接続可能な通信端末の端末識別情報と、自通信制御装置のアドレス情報とを対応させて管理させることが可能となる。
【発明の効果】
【００１０】
本発明に係る通信制御装置および通信制御方法によれば、ドメインに登録されていない種々の通信端末を、複雑な処理を要することなく、ネットワークに参加させることができる。
【発明を実施するための最良の形態】
【００１１】
以下、本発明に係る通信制御装置および通信制御方法の実施形態を図面に基づき説明する。なお、各図において、同一要素には同一符号を付して重複する説明を省略する。
【００１２】
図１は、実施形態における通信システム１のシステム構成を例示する図である。図１に示すように、通信システム１は、通信制御装置１０と、アドレス情報管理装置２０と、通信端末３０とを有する。通信制御装置１０および通信端末３０は、複数存在する。図１に示す通信システム１では、送信元の通信端末３０ａが接続している送信元側の通信制御装置１０ａと、送信先の通信端末３０ｂが接続している送信先側の通信制御装置１０ｂとが例示されている。
【００１３】
通信制御装置１０は、通信端末３０からアップロードされた通信制御用のソフトウェアがインストールされることにより、通信端末３０とインターネット等のネットワークとの接続を管理する、いわゆるプロキシサーバとしての機能を発揮し得る。
【００１４】
アドレス情報管理装置２０は、通信端末３０が接続している通信制御装置１０のアドレス情報を管理する。
【００１５】
通信端末３０は、通信制御装置１０を介して他の通信端末３０と通信を行う。通信端末３０は、ユーザの操作指示にしたがって様々なメッセージを送信し、他の端末や装置から送信された様々なメッセージを受信する。通信端末３０としては、例えば、携帯電話機、簡易型通信端末（ＰＨＳ）、通信機能を有する携帯型情報端末（ＰＤＡ）等の移動通信端末や、パーソナルコンピュータ等の固定通信端末が該当する。なお、通信端末３０は、通信制御装置１０に常時接続している必要はなく、例えば、後述するソフトウェアのアップロード時やメッセージの送受信時等、必要に応じて接続することとしてもよい。
【００１６】
次に、図２を参照して、本実施形態における通信制御装置１０の機能構成について説明する。図２に示すように通信制御装置１０は、メッセージ送受信部１１（受信手段、送信手段、アドレス情報送信手段）と、インストール実行部１２（インストール実行手段）と、アドレス情報取得部１３（アドレス情報取得手段）と、割当回線情報管理部１４とを有する。
【００１７】
メッセージ送受信部１１は、他の通信制御装置１０、アドレス情報管理装置２０および通信端末３０との間でやり取りされる様々なメッセージの送受信を行う。送受信されるメッセージの内容としては、例えば、アドレス情報登録要求メッセージ、送信先情報、通信制御用のソフトウェア、通信制御用のソフトウェアを識別するソフトウェア識別ＩＤがある。アドレス情報登録要求メッセージは、通信端末３０が接続している通信制御装置１０のアドレス情報を、アドレス情報管理装置２０に登録するように要求するためのメッセージである。このアドレス情報登録要求メッセージには、通信端末を一意に特定するための端末識別情報や、通信制御装置のアドレス情報等が含まれる。送信先情報は、メッセージの送信先となる通信端末３０ｂに関する情報である。この送信先情報には、通信端末を一意に特定するための端末識別情報が含まれる。端末識別情報としては、例えば、電話番号、端末名、メールアドレス、ＩＰアドレス、ＳＩＰアドレスが該当する。通信制御用のソフトウェアとしては、例えば、ＳＩＰのように、端末間のセッションを制御することができるソフトウェアが該当する。
【００１８】
インストール実行部１２は、メッセージ送受信部１１により受信された通信制御用のソフトウェアのインストールを実行する。
【００１９】
アドレス情報取得部１３は、メッセージ送受信部１１により受信された送信先情報をアドレス情報管理装置２０に送信する。アドレス情報取得部１３は、送信先側の通信制御装置１０ｂのＩＰアドレスをアドレス情報管理装置２０から受信する。これにより、アドレス情報取得部１３は、送信先情報に対応する通信制御装置１０ｂのアドレス情報を取得することができる。
【００２０】
割当回線情報管理部１４は、アドレス情報登録要求メッセージを送信してきた通信端末３０に対して割り当てる通信回線に関する割当回線情報を、割当回線情報データベース１８に登録する。
【００２１】
ここで、図３を参照して、割当回線情報データベース１８のデータ構成について説明する。割当回線情報データベース１８は、データ項目として、例えば、割当回線、端末識別情報を有する。割当回線には、各通信端末との間に割り当てられた物理的な回線を識別するための識別ＩＤが格納される。端末識別情報には、通信制御装置１０を介して通信する通信端末を一意に特定するための情報が格納される。端末識別情報としては、例えば、電話番号、端末名、メールアドレス、ＩＰアドレス、ＳＩＰアドレスが該当する。
【００２２】
次に、図４を参照して、本実施形態におけるアドレス情報管理装置２０の機能構成について説明する。図４に示すように通信制御装置１０は、メッセージ送受信部２１と、アドレス情報管理部２２とを有する。
【００２３】
メッセージ送受信部２１は、通信制御装置１０との間でやり取りされる様々なメッセージの送受信を行う。送受信されるメッセージの内容としては、例えば、アドレス情報登録要求メッセージ、送信先情報、送信先側の通信制御装置１０ｂのアドレス情報がある。
【００２４】
アドレス情報管理部２２は、アドレス情報登録要求メッセージに基づいて、通信端末３０が接続している通信制御装置１０のアドレス情報を、アドレス情報データベース２８に登録する。また、アドレス情報管理部２２は、メッセージ送受信部２１により受信された送信先情報に含まれる端末識別情報に基づいて、送信先である通信端末３０ｂが接続している送信先側の通信制御装置１０ｂのアドレス情報を、アドレス情報データベース２８から抽出する。
【００２５】
ここで、図５を参照して、アドレス情報データベース２８のデータ構成について説明する。アドレス情報データベース２８は、データ項目として、例えば、端末識別情報、通信制御装置アドレス、通信制御装置ＩＤを有する。端末識別情報には、通信端末を一意に特定するための情報が格納される。通信制御装置アドレスには、通信制御装置のＩＰアドレスが格納される。通信制御装置ＩＤには、通信制御装置を一意に特定するための識別ＩＤが格納される。
【００２６】
次に、図６および図７を参照して、本実施形態における通信システムの動作について説明する。
【００２７】
図６は、通信端末３０が接続している通信制御装置１０のアドレス情報を、アドレス情報管理装置２０に登録する際の処理の流れを例示するシーケンスチャートである。
【００２８】
まず、通信端末３０は、ユーザの操作指示にしたがって、自端末が接続している通信制御装置１０のアドレス情報をアドレス情報管理装置２０に登録するように要求するアドレス情報登録要求メッセージを、通信制御装置１０に送信する（ステップＳ１）。これにより、通信制御装置１０のメッセージ送受信部１１は、アドレス情報登録要求メッセージを受信する。
【００２９】
次に、通信制御装置１０の割当回線情報管理部１４は、アドレス情報登録要求メッセージを送信した通信端末３０に対して割り当てる通信回線に関する割当回線情報を、割当回線情報データベース１８に登録する（ステップＳ２）。
【００３０】
次に、通信制御装置１０のメッセージ送受信部１１は、通信端末３０から受信したアドレス情報登録要求メッセージをアドレス情報管理装置２０に転送する（ステップＳ３）。なお、転送されるアドレス情報登録要求メッセージには、自通信制御装置１０のＩＰアドレスが付加される。これにより、アドレス情報管理装置２０のメッセージ送受信部２１は、アドレス情報登録要求メッセージを受信する。
【００３１】
次に、アドレス情報管理装置２０のアドレス情報管理部２２は、アドレス情報登録要求メッセージに含まれる通信端末３０の端末識別情報と通信制御装置１０のＩＰアドレスとを、アドレス情報データベース２８に登録する（ステップＳ４）。
【００３２】
これにより、アドレス情報管理装置２０において、通信端末３０と通信制御装置１０のＩＰアドレスとを対応付けて管理させることができるため、インターネット等のネットワークに参加可能な通信制御装置１０を介して通信端末３０の存在を認識することが可能となる。
【００３３】
図７は、メッセージの送信元である通信端末３０ａが、メッセージの送信先である通信端末３０ｂと通信を開始する際の処理の流れを例示するシーケンスチャートである。
【００３４】
まず、送信元の通信端末３０ａは、送信先の通信端末３０ｂに関する送信先情報、および通信制御用のソフトウェアを、送信元側の通信制御装置１０ａに送信する（ステップＳ１１）。これにより、送信元側の通信制御装置１０ａのメッセージ送受信部１１は、メッセージの送信先となる通信端末３０ｂに関する送信先情報、および通信制御用のソフトウェアを受信する。
【００３５】
次に、送信元側の通信制御装置１０ａのインストール実行部１２は、メッセージ送受信部１１により受信された通信制御用のソフトウェアをインストールする（ステップＳ１２）。
【００３６】
次に、送信元側の通信制御装置１０ａのアドレス情報取得部１３は、メッセージ送受信部１１により受信された送信先情報をアドレス情報管理装置２０に送信する（ステップＳ１３）。これにより、アドレス情報管理装置２０のメッセージ送受信部２１は、メッセージの送信先となる通信端末３０ｂに関する送信先情報を受信する。
【００３７】
次に、アドレス情報管理装置２０のアドレス情報管理部２２は、メッセージ送受信部２１により受信された送信先情報に含まれる端末識別情報に基づいて、通信端末３０ｂが接続している送信先側の通信制御装置１０ｂのアドレス情報を、アドレス情報データベース２８から抽出する（ステップＳ１４）。
【００３８】
次に、アドレス情報管理装置２０のメッセージ送受信部２１は、アドレス情報管理部２２により抽出された送信先側の通信制御装置１０ｂのアドレス情報を、送信元側の通信制御装置１０ａに送信する（ステップＳ１５）。これにより、送信元側の通信制御装置１０ａのアドレス情報取得部１３は、送信先側の通信制御装置１０ｂのアドレス情報を取得する。
【００３９】
次に、送信元側の通信制御装置１０ａのメッセージ送受信部１１は、送信元側の通信制御装置１０ａから受信した送信先情報および通信制御用のソフトウェアを識別するソフトウェア識別ＩＤを、送信先側の通信制御装置１０ｂのアドレス情報に含まれるアドレス宛に送信する（ステップＳ１６）。これにより、送信先側の通信制御装置１０ｂのメッセージ送受信部１１は、送信先情報およびソフトウェア識別ＩＤを受信する。
【００４０】
次に、送信先側の通信制御装置１０ｂのメッセージ送受信部１１は、送信元側の通信制御装置１０ａから受信したソフトウェア識別ＩＤを、送信元側の通信制御装置１０ａから受信した送信先情報に対応する送信先の通信端末３０ｂ宛に送信する（ステップＳ１７）。
【００４１】
次に、送信先の通信端末３０ｂは、送信先側の通信制御装置１０ｂから受信したソフトウェア識別ＩＤに対応する通信制御用のソフトウェアを、送信先側の通信制御装置１０ｂに送信する（ステップＳ１８）。これにより、送信先側の通信制御装置１０ｂのメッセージ送受信部１１は、通信制御用のソフトウェアを受信する。
【００４２】
次に、送信先側の通信制御装置１０ｂのインストール実行部１２は、メッセージ送受信部１１により受信された通信制御用のソフトウェアをインストールする（ステップＳ１９）。
【００４３】
これにより、送信元の通信端末３０ａが接続可能な送信側の通信制御装置１０ａと、送信先の通信端末３０ｂが接続可能な送信側の通信制御装置１０ｂとに、共通の通信制御用のソフトウェアがインストールされる。したがって、各通信端末３０ａ，３０ｂは、それぞれの通信端末のネットワーク接続を制御することが可能な通信制御装置１０ａ，１０ｂを介して相互に通信することが可能になる。それゆえに、ドメインに登録されていない種々の通信端末を、複雑な処理を要することなく、インターネット等のネットワークに参加させることが可能となる。
【００４４】
以上のように、本実施形態における送信元側の通信制御装置１０ａは、メッセージの送信元である通信端末３０ａから受信した通信制御用のソフトウェアをインストールすることができるため、送信元の通信端末３０ａの仕様に適した通信制御用のソフトウェアを用いて送信元の通信端末３０ａのネットワーク接続を制御することが可能となる。
【００４５】
また、送信元側の通信制御装置１０ａは、メッセージの送信元の通信端末３０ａから受信した送信先情報に対応する送信先の通信端末３０ｂが接続可能な送信先側の通信制御装置１０ｂのアドレス情報を、アドレス情報管理装置２０から取得することができ、このアドレス情報に含まれるＩＰアドレス宛に、送信先情報およびソフトウェア識別情報を送信することができる。したがって、送信先の通信端末３０ｂが接続可能な送信先側の通信制御装置１０ｂに、ソフトウェア識別情報に対応する通信制御用のソフトウェアをインストールさせることが可能となる。
【図面の簡単な説明】
【００４６】
【図１】実施形態における通信システムのシステム構成を例示する図である。
【図２】図１に示す通信制御装置の機能構成を例示する図である。
【図３】図２に示す割当回線情報データベースのデータ構成を例示する図である。
【図４】図１に示すアドレス情報管理装置の機能構成を例示する図である。
【図５】図４に示すアドレス情報データベースのデータ構成を例示する図である。
【図６】通信端末が接続している通信制御装置のアドレス情報を、アドレス情報管理装置に登録する際の処理の流れを例示するフローチャートである。
【図７】メッセージの送信元である通信端末が、メッセージの送信先である通信端末と通信を開始する際の処理の流れを例示するシーケンスチャートである。
【符号の説明】
【００４７】
１・・・通信システム、１０・・・通信制御装置、１１・・・メッセージ送受信部、１２・・・インストール実行部、１３・・・アドレス情報取得部、１４・・・割当回線情報管理部、１８・・・割当回線情報データベース、２０・・・アドレス情報管理装置、２１・・・メッセージ送受信部、２２・・・アドレス情報管理部、２８・・・アドレス情報データベース、３０・・・通信端末。
【図１】
0004515358.tif 000002
【図２】
0004515358.tif 000003
【図３】
0004515358.tif 000004
【図４】
0004515358.tif 000005
【図５】
0004515358.tif 000006
【図６】
0004515358.tif 000007
【図７】
0004515358.tif 000008